(57)【要約】人又は動物の体の治療のために時間と共に変動する磁界を加えるための装置であって、装置内に受容された自由運動部材（８０）内に受容された磁気部材（７２）を有する。小型のモータにより、自由運動部材（８０）及び磁気部材（７２）が第１の軸線周りに回転駆動される。磁気部材（７２）は、機械的に又は磁気的に加えられる回転駆動力により、第２の軸線周りにも回転駆動される。機械的回転駆動力は、転動部材に対するギヤ或いは摩擦伝動により与えられる。磁気的回転駆動力は、複数の固定磁石（１１０）により、それらの近傍を磁気部材（７２）が通過する際に与えられる。磁気部材（７２）の両回転運動は、互いに傾斜し、時間と共に変動する磁束を伴う磁界及び時間と共に磁束が回転するような磁界を発生する。
2005518884.tif 000002
【特許請求の範囲】
【請求項１】
磁気治療装置であって、
カバー内に受容されたモータと、
チャンバを画定する内面及び少なくとも２つの開口を有し、前記モータに接続された自由運動部材と、
前記チャンバ内に回転可能に受容され、互いに対角方向に突出し、前記開口を貫通する２本のアームを有し、その一方のアームの端部に転動部材が取り付けられているような磁気ユニットと、
前記転動部材が転動することにより、前記転動部材に対して回転力を与えるように、前記カバーに設けられた環状転動面と、
前記自由運動部材に対して軸線方向力を加え、前記転動部材の前記環状転動面に対する係合を維持するための保持部材とを有し、
前記磁気ユニットが、２つの軸線周りに同時に回転するように支持されていることを特徴とする磁気治療装置。
【請求項２】
前記自由運動部材が、一方の頂部に設けられた枢支構造と、他方の頂部に設けられた駆動用延出部とを更に有することにより、前記自由運動部材が前記カバー内にて、前記枢支構造と前記駆動用延出部とを結ぶ軸線周りに自由に回転可能にされていることを特徴とする請求項１に記載の磁気治療装置。
【請求項３】
前記保持部材が、ワッシャ、ダイヤフラム及びばねから選択されたものからなることを特徴とする請求項１に記載の磁気治療装置。
【請求項４】
前記転動部材が、エラストマ材料を含む表面を有することを特徴とする請求項１に記載の磁気治療装置。
【請求項５】
磁気治療装置であって、
磁石と、
前記磁石を外囲し、１つ又は複数の延出部を有する自由運動部材と、
前記磁石及び前記自由運動部材を外囲する内面を有し、転動面を構成する周方向溝を画定するカバーと、
前記磁石に取り付けられ、前記自由運動部材を超えて延出する少なくとも１つの端部を有するロッドと、
前記転動面と協働するように前記少なくとも１つの端部に取り付けらた転動部材と、
前記自由運動部材の前記両延出部の一方に機械的に結合されたモータとを有し、
前記モータが前記自由運動部材を回転駆動し、それにより前記転動部材が前記転動面上を走行して転動し、人又は動物の体の治療のために、前記磁石が２軸周りに回転するようにしたことを特徴とする磁気治療装置。
【請求項６】
前記磁石が概ね球形であることを特徴とする請求項５に記載の磁気治療装置。
【請求項７】
前記自由運動部材が概ね球形であることを特徴とする請求項５に記載の磁気治療装置。
【請求項８】
前記自由運動部材が概ね円形であることを特徴とする請求項５に記載の磁気治療装置。
【請求項９】
前記モータがＤＣモータからなることを特徴とする請求項５に記載の磁気治療装置。
【請求項１０】
前記転動部材が、エラストマ材料を含む表面を有することを特徴とする請求項５に記載の磁気治療装置。
【請求項１１】
磁気治療装置であって、
自由運動円形軌道と、
前記自由運動円形軌道を周方向に駆動するために前記自由運動円形軌道に機械的に結合されたモータと、
前記モータに対して回転しない固定円形軌道と、
前記自由運動円形軌道及び前記固定円形軌道内に配置された磁気ユニットと、
前記磁気ユニットに取り付けられ、２本の延出端部を有するロッドと、
前記両延出端部の少なくとも一方に取り付けられ、前記自由運動円形軌道及び前記固定円形軌道に係合する駆動ギヤとを有し、
前記モータが、前記自由運動円形軌道を周方向に駆動するに伴い、前記駆動ギヤが、同様に周方向運動し、同時にそれに直交する転動運動を行い、前記磁気ユニットが２つの異なる軸線周りに回転することにより、人又は動物の体の治療のために、時間と共に変動する磁束を伴う磁界及び時間と共に磁束が回転するような磁界を発生するようにしたことを特徴とする磁気治療装置。
【請求項１２】
前記固定円形軌道が、前記固定円形軌道、前記磁気ユニット及び前記自由運動円形軌道を少なくとも部分的に覆うカバーに取り付けられていることを特徴とする請求項１１に記載の磁気治療装置。
【請求項１３】
磁気治療装置であって、
少なくとも１本の延出アームを有する磁石と、
前記少なくとも１本の延出アームが回転可能に貫通する開口を有し、前記磁石及び前記少なくとも１本の延出アームを回転可能に支持する自由運動部材と、
前記磁石及び前記自由運動部材を第１の軸線周りに回転駆動するために、前記自由運動部材に結合されたモータと、
前記自由運動部材の外部にて、前記延出アームに取り付けられ、前記自由運動部材と同一の速度で回転しない環状転動面に接触する転動部材とを有し、
前記自由運動部材と前記環状転動面との間の速度差により、前記転動部材及び前記磁石が第２の軸線周りに回転し、前記磁石が２つの異なる軸線周りに同時に回転及び転動するようにして、人又は動物の体の治療のために、時間と共に変動する磁束を伴う磁界及び時間と共に磁束が回転するような磁界を発生するようにしたことを特徴とする磁気治療装置。
【請求項１４】
前記磁石が概ね球形であることを特徴とする請求項１３に記載の磁気治療装置。
【請求項１５】
前記自由運動部材が概ね球形であることを特徴とする請求項１３に記載の磁気治療装置。
【請求項１６】
前記自由運動部材が概ね円形であることを特徴とする請求項１３に記載の磁気治療装置。
【請求項１７】
前記モータがＤＣモータからなることを特徴とする請求項１３に記載の磁気治療装置。
【請求項１８】
磁気治療装置であって、
磁石を第１の軸線周りに回転させるための手段と、
前記磁石を第２の軸線周りに転動させるための手段とを有し、
前記転動させるための手段が、前記回転させるための手段を前記第２の軸線周りに転動させず、
前記磁石を、前記第１及び第２の軸線周りに回転及び転動させることにより、人又は動物の体の治療のために、時間と共に変動する磁束を伴う磁界及び時間と共に磁束が回転するような磁界を発生するようにしたことを特徴とする磁気治療装置。
【請求項１９】
前記磁石を回転させるための前記手段の運動がＤＣモータにより引き起こされることを特徴とする請求項１８に記載の磁気治療装置。
【請求項２０】
前記磁石が概ね球形であることを特徴とする請求項１８に記載の磁気治療装置。
【請求項２１】
第１の軸線が第２の軸線に対して概ね９０度をなすように、前記両軸線周りに同時に回転する治療用磁石体。
【請求項２２】
前記磁石体が、前記各軸線周りに可変速度をもって回転することを特徴とする請求項２１に記載の磁石体。
【請求項２３】
前記磁石体が、前記第１の軸線周りに或る速度をもって回転し、前記第２の軸線周りにそれとは異なる速度をもって回転することを特徴とする請求項２１に記載の磁石体。
【請求項２４】
前記磁石体が、モータにより駆動される機械装置により回転させられることを特徴とする請求項２１に記載の磁石体。
【請求項２５】
前記両軸線の少なくとも一方の軸線周りの回転が電子手段により制御されることを特徴とする請求項２２に記載の磁石体。
【請求項２６】
前記両軸線の少なくとも一方の軸線周りの回転が電子手段により制御されることを特徴とする請求項２３に記載の磁石体。
【請求項２７】
前記磁石体が概ね球形であることを特徴とする請求項２１に記載の磁石体。
【請求項２８】
前記磁石体が概ね円筒形であることを特徴とする請求項２１に記載の磁石体。
【請求項２９】
前記磁石体が概ね立方体形であることを特徴とする請求項２１に記載の磁石体。
【請求項３０】
前記磁石体及び該磁石体を回転させるための手段がハウジング内に受容されていることを特徴とする請求項２２に記載の磁石体。
【請求項３１】
前記磁石体及び該磁石体を回転させるための手段がハウジング内に受容されていることを特徴とする請求項２３に記載の磁石体。
【請求項３２】
人又は動物の体の部位を処置するための方法であって、
前記部位に磁気装置を配置する過程を有し、
前記磁気装置が、磁石体を第１の軸線周りに回転させ、同時に、前記第１の軸線に対して傾斜する第２の軸線周りに回転させることを特徴とする方法。
【請求項３３】
前記磁石体が、前記各軸線周りに可変速度をもって回転することを特徴とする請求項３２に記載の方法。
【請求項３４】
前記磁石体が、前記第１の軸線周りに或る速度をもって回転し、前記第２の軸線周りにそれとは異なる速度をもって回転することを特徴とする請求項３２に記載の方法。
【請求項３５】
前記磁石体が、モータにより駆動される機械装置により回転させられることを特徴とする請求項３２に記載の方法。
【請求項３６】
前記両軸線の少なくとも一方の軸線周りの回転が電子手段により制御されることを特徴とする請求項３３に記載の方法。
【請求項３７】
前記両軸線の少なくとも一方の軸線周りの回転が電子手段により制御されることを特徴とする請求項３４に記載の方法。
【請求項３８】
前記磁石体が概ね球形であることを特徴とする請求項３２に記載の方法。
【請求項３９】
前記磁石体が概ね円筒形であることを特徴とする請求項３２に記載の方法。
【請求項４０】
前記磁石体が概ね立方体形であることを特徴とする請求項３２に記載の方法。
【請求項４１】
前記磁石体及び該磁石体を回転させるための手段がハウジング内に受容されていることを特徴とする請求項３３に記載の方法。
【請求項４２】
前記磁石体及び該磁石体を回転させるための手段がハウジング内に受容されていることを特徴とする請求項３４に記載の方法。
【請求項４３】
磁気治療装置であって、
少なくとも１本の延出アームを有する磁石と、
前記少なくとも１本の延出アームが回転可能に貫通する開口を有し、前記磁石及び前記少なくとも１本の延出アームを回転可能に支持する自由運動部材と、
前記磁石及び前記自由運動部材を第１の軸線周りに回転駆動するために、前記自由運動部材に結合されたモータと、
概ね当該装置に固定され或いは前記自由運動部材と同一の速度で回転することのないように設けられた少なくとも１つの磁気面とを有し、
前記自由運動部材と前記磁気面との間の速度差により前記磁石が第２の軸線周りに転動することにより、前記磁石が２つの異なる軸線周りに同時に回転及び転動するようにして、人又は動物の体の治療のために、時間と共に変動する磁束を伴う磁界及び時間と共に磁束が回転するような磁界を発生するようにしたことを特徴とする磁気治療装置。
【請求項４４】
前記磁石が概ね球形であることを特徴とする請求項４３に記載の磁気治療装置。
【請求項４５】
前記自由運動部材が概ね球形であることを特徴とする請求項４３に記載の磁気治療装置。
【請求項４６】
前記自由運動部材が概ね円形であることを特徴とする請求項４３に記載の磁気治療装置。
【請求項４７】
前記モータがＤＣモータからなることを特徴とする請求項４３に記載の磁気治療装置。
【請求項４８】
磁気治療装置であって、
前記磁石体を第１の軸線周りに回転させるための手段と、
前記磁石体を第２の軸線周りに転動させるための手段とを有し、
前記転動させるための手段及び前記回転させるための手段が同時に作動し、
前記転動させるための手段及び前記回転させるための手段が、前記磁石体を、前記第１及び第２の軸線周りに同時に回転及び転動させることにより、人又は動物の体の治療のために、時間と共に変動する磁束を伴う磁界及び時間と共に磁束が回転するような磁界を発生するようにしたことを特徴とする磁気治療装置。
【請求項４９】
前記モータがＤＣモータからなることを特徴とする請求項４８に記載の磁気治療装置。
【請求項５０】
前記磁石体が概ね球形であることを特徴とする請求項４８に記載の磁気治療装置。
【請求項５１】
第１の軸線が第２の軸線に対して傾斜するように、２つの方向に同時に回転する治療用磁石体。
【請求項５２】
前記磁石体が、前記各軸線周りに可変速度をもって回転することを特徴とする請求項５１に記載の磁石体。
【請求項５３】
前記磁石体が、前記第１の軸線周りに或る速度をもって回転し、前記第２の軸線周りにそれとは異なる速度をもって回転することを特徴とする請求項５１に記載の磁石体。
【請求項５４】
前記磁石体が、モータにより駆動される機械装置により回転させられることを特徴とする請求項５１に記載の磁石体。
【請求項５５】
前記両軸線の少なくとも一方の軸線周りの回転が電子手段により制御されることを特徴とする請求項５２に記載の磁石体。
【請求項５６】
前記両軸線の少なくとも一方の軸線周りの回転が電子手段により制御されることを特徴とする請求項５３に記載の磁石体。
【請求項５７】
前記磁石体が概ね球形であることを特徴とする請求項５１に記載の磁石体。
【請求項５８】
前記磁石体が概ね円筒形であることを特徴とする請求項５１に記載の磁石体。
【請求項５９】
前記磁石体が概ね立方体形であることを特徴とする請求項５１に記載の磁石体。
【請求項６０】
前記磁石体及び該磁石体を回転させるための手段がハウジング内に受容されていることを特徴とする請求項５２に記載の磁石体。
【請求項６１】
前記磁石体及び該磁石体を回転させるための手段がハウジング内に受容されていることを特徴とする請求項５３に記載の磁石体。
【請求項６２】
前記磁石体が、前記第１の軸線周りに回転する速度と概ね同一の速度をもって、前記第２の軸線周りに回転することを特徴とする請求項５１に記載の磁石体。
【請求項６３】
人又は動物の体の部位を処置するための方法であって、
前記部位に磁気装置を配置する過程を有し、
前記磁気装置が、磁石体を第１の軸線周りに回転させ、同時に又は間欠的に、前記第１の軸線に対して傾斜する第２の軸線周りに回転させることを特徴とする方法。
【請求項６４】
前記磁石体が、前記各軸線周りに可変速度をもって回転することを特徴とする請求項６３に記載の方法。
【請求項６５】
前記磁石体が、前記第１の軸線周りに或る速度をもって回転し、前記第２の軸線周りにそれとは異なる速度をもって回転することを特徴とする請求項６３に記載の方法。
【請求項６６】
前記磁石体が、モータにより駆動される機械装置により回転させられることを特徴とする請求項６３に記載の方法。
【請求項６７】
前記両軸線の少なくとも一方の軸線周りの回転が電子手段により制御されることを特徴とする請求項６４に記載の方法。
【請求項６８】
前記両軸線の少なくとも一方の軸線周りの回転が電子手段により制御されることを特徴とする請求項６５に記載の方法。
【請求項６９】
前記磁石体が概ね球形であることを特徴とする請求項６３に記載の方法。
【請求項７０】
前記磁石体が概ね円筒形であることを特徴とする請求項６３に記載の方法。
【請求項７１】
前記磁石体が概ね立方体形であることを特徴とする請求項６３に記載の方法。
【請求項７２】
前記磁石体及び該磁石体を回転させるための手段がハウジング内に受容されていることを特徴とする請求項６４に記載の方法。
【請求項７３】
前記磁石体及び該磁石体を回転させるための手段がハウジング内に受容されていることを特徴とする請求項６５に記載の方法。
【請求項７４】
前記磁石体が、前記第１の軸線周りに回転する速度と概ね同一の速度をもって、前記第２の軸線周りに回転することを特徴とする請求項６３に記載の方法。
【請求項７５】
前記磁石体が、前記モータと概ね同一の速度をもって回転することを特徴とする請求項４３に記載の磁気治療装置。
【請求項７６】
前記磁石体が、前記第１の軸線周りに回転する速度と概ね同一の速度をもって、前記第２の軸線周りに転動することを特徴とする請求項４８に記載の磁気治療装置。
【発明の詳細な説明】
【技術分野】
【０００１】
本出願は、２００２年２月２８日に出願された米国特許出願１０／０８７，１３５の一部継続出願であって、それに言及することをもってその内容を本出願の一部とする。
【０００２】
本発明は磁界生成装置に関し、特に人又は動物の体の治療のために、時間と共に変動する磁束を伴う磁界及び時間と共に磁束が回転するような磁界を発生するようにした磁界生成装置に関する。
【背景技術】
【０００３】
人体に対して適用するために、時間と共に変動する磁界を生成するための種々の装置が提案されている。一般に、時間とともに変動する２種類の磁界が用いられている。その１つは、電流がある周波数で交互することにより生成される交流磁界である。マックスウェルの方程式によれば、電界が構成されると、それと同一周波数の磁界が同時に形成される。時間とともに変動する磁界を生成するための第１の形式のものには、同一方向に運動する電荷のディスクリートなパルスとして電流が導体を流れるときに発生するパルス磁界（ＰＥＭＦ）を生成するものがある。時間とともに変動する磁界を生成するための第２の形式の装置は、空間内で静的な磁界を物理的に移動させるものからなる。これは、磁界を直線的に変位することによっても実現出来るが、もう１つの一般的な方法は静的な磁界を回転することからなる。静的な磁界の源は、通常永久磁石である。電磁石は、電流の形でエネルギーを消費し、好ましくない熱を放散する。
【０００４】
時間とともに変動する磁界の治療効果が様々な文献に於いて記述され、且つ臨床的に評価されている。一般大衆むけの刊行物としては、「"Magnetic Therapy" by Dr. Ronald Lawrence and Dr. Paul Rosch」、「"The Pain Relief Breakthrough" by Dr. Julian Whitaker and Brenda Adderly」及び「"Magnetic Therapy in Eastern Europe" by Dr. Jiri Jerabek and Dr. William Pawluk」などがある。これらの書籍は、時間とともに変動する磁界がアテローム性動脈硬化症、手根管圧迫症候群、慢性的気管支炎、後虚血性傷害、水腫、骨折、感染した創傷、手足の移植、火傷、瘢痕、黄斑変性症等を含む多数の慢性的或いは急性の疾患の治療に有効であることを証明するとされる様々な臨床的な研究について言及している。
【発明の開示】
【発明が解決しようとする課題】
【０００５】
治療用の目的で時間とともに変動する磁界を生成するために永久磁石を用いるような特許発明としては、米国特許４、７２７、８５７号、米国特許５、６３２、７２０号及び米国特許、６、００１、０５５号等がある。これらの装置の全ては、永久磁石を固定軸点回りに回転させることにより作動するものである。これらの装置により生成された磁界は、空間内を一方向に走査する。回転角度を変化されるためには、磁石の回転軸が固定されているため、装置全体を手動により走査する必要がある。磁束が組織を横切る時の角度が治療効果に対して影響を及ぼすことが観察されている。従って、様々な方向に磁束を走査することが出来るように、手持ちの装置や、体又は衣服の一部に対して取り付け得るような装置を提供し、移動する磁束により体の一部に対してあらゆる角度から適用し得るようにすることが望まれている。
【課題を解決するための手段】
【０００６】
本発明は、磁石を２つの軸線回りに同時に回転させることにより振幅及びまたは極性に於いて変化する磁束を提供することにある。これは、磁石体を第１の軸線周りに回転させ、同時に又は間欠的に、前記第１の軸線に対して傾斜する第２の軸線周りに回転させることにより達成される。
【発明を実施するための最良の形態】
【０００７】
添付の図面について以下に説明する事項は、本発明の好適実施例に関するものであって、本発明が構成或いは利用されるべき唯一の形態を表すものではないことを了解されたい。以下の記載は、図示された実施例について本発明の構造及び造作を説明するものである。しかしながら、同様或いは等価な機能及び作用が本発明の概念から逸脱することのない様々に異なる実施例によっても実現されることを了解されたい。
【０００８】
図１に本発明の実施例が示されている。この実施例に於いて、２軸回転は、駆動ギア６などの、噛み合い或いは摩擦係合面を備えた手段を一端に備えるロッド４上に永久磁石２を取り付けることにより達成される。好適実施例に於いてはギアシステムが用いられているが、外部からの力を、ロッドに対して、接触により回転力を加え得るようなＯリング、スプロケット或いはゴム製の面を備えた手段を用いるような、ギアを用いない実施例も可能である。磁石２、ロッド４及び駆動ギア６からなるアセンブリが、回転可能な円形軌道８上に配置される。円形軌道８は、このような外力をロッド４の端部に伝達するための、対応するギアその他の面を備えている。磁石２は立方体形状であっても、或いは概ね球形であっても良い。
【０００９】
ある実施例に於いて、ロッド４は、回転可能な円形軌道８と該円形軌道８に対向する固定円形軌道１６との間に挟持される。モータ２０は、回転可能な円形軌道８に結合され、同軌道を回転させる。駆動ギア６に対して加えられる回転駆動力は、ロッド４を円形軌道８と共に回転させる。駆動ギア６が、両円形軌道８、１６の面に係合しているため、駆動ギア６が円形軌道上を走行すると同時に転動する。駆動ギア６は、円形軌道８、１６まわりのロッド４の回転に対して直交する方向に車輪と同様に転動する。従って、磁石２は第１及び第２の軸線周りの回転運動を行い、磁石２を回転させ且つ転動させる。その結果、この構造により、磁界に対して複雑な２軸走査運動を行わせることが出来る。図１に示されるように、バランス及び安定性の確保のために、保持体すなわち浮動ギア６’が、駆動ギア６とは反対側のロッド４の端部に取り付けられている。浮動ギア６’は、ロッド４に対して回転可能に取り付けられていることから、このギア６’はロッド４に対して転動力を与えることはなく、駆動ギア６のみがロッド４を転動させる。
【００１０】
図１及び２には本発明の一実施例が示されている。図１は、固定ギア軌道１６、ギア歯１０、磁気ユニット２、ロッド４の端部、駆動ギア６及び浮動ギア６’を示す好適実施例の平面図である。図１に於いて、自由運動ギヤリング８及びモータ２０は、両ギア６、６’及び固定ギア軌道１６を明瞭に図示するために図示省略されている。図１に示されるように、磁気ユニット２はロッド４に取り付けられている。本実施例に示されている磁気ユニット２は球形をなしているが、所定の磁化パターンを有する棒磁石、板磁石からなるものであっても良い。更に、図示された実施例では、ロッド４が磁気ユニット２を貫通しているが、ロッド４を磁気ユニット２の片側或いは一端に取り付けることも可能である。
【００１１】
ロッド４の一端は、固定ギアリング１６及び自由運動ギアリング８の両者を跨ぐように係合する駆動ギア６を有している。ロッド４の他方の端部は、同じく固定ギアリング１６及び自由運動ギアリング８の動作に対して係合する浮動ギア６’を備えている。好ましくは、固定ギアリング１６及び自由運動ギアリング８は、磁気ユニットにより生成される磁界に対して干渉しないように非磁性体材料からなるのが好ましい。モータ２０はギア１８を駆動し、ギア１８は直接或いは間接的にリング８の第１の面１２のギア歯９に噛み合う。従って、ギア１８が回転するに伴い、自由運動ギアリング８が駆動される。
【００１２】
自由運動ギアリング８が回転するに伴い、ギア６、６’が自由運動ギアリング８の第２の面１４に設けられたギア歯１１と噛み合うことから、ロッド４が回転駆動され、磁気ユニット２の第１の回転運動を引き起こす。しかしながら、端部に設けられたギア６、６’は固定リング１６の面に設けられた歯１２にも係合している。浮動ギア６’はロッド４上に回転可能に取り付けられ、従ってロッド４に対して転動させようとする力を加えることがないが、駆動ギア６はロッド４に固定されている。その結果、駆動ギア６が、自由運動ギアリング８に沿って回転し且つ転動するに伴い、ロッド４が、この第２の軸線回りに転動駆動される。従って、磁気ユニット２の２軸回転運動が引き起こされ、磁界の複雑な２軸走査運動が引き起こされる。本実施例に於いては、この、時間とともに変動する複合的な磁界を生成するために１つの磁石２が用いられるのみである。この実施例全体は、図５、１１−１５に示されるようにプラスチック製のハウジング内に受容され、球形の磁気ユニット２が２つの別個の軸線回りに自由に回転し得るようにすることが出来る。本発明は、人体の所望の部位に対して手で配置し或いは移動させたり、使用者の体や衣服の一部に取り付けることが出来る。
【００１３】
本発明の別の実施例に於いては、磁気アセンブリは、磁気ユニット２２を外囲する１つまたは複数の延出部を有する自由運動部材３０を含む。ロッド２４が磁気ユニット２２上に取り付けられている。ロッド２４の両端が自由運動部材３０を超えて延出している。転動部材２６はロッド２４の一端に固定されている。所望に応じて滑り部材をロッド２４の他端に回転可能に取り付けることも出来る。しかしながら、部品を十分精密に製作し、公差を小さく保つことにより、第２の浮動或いは滑り部材は必ずしも必要でないことが見出された。この実施例は、磁気アセンブリを外囲するカバー５２を有し、カバー５２は、転動部材２６を受容する周方向溝を画定する内面を有する。またカバー５２は磁気アセンブリを枢支するための１つ又は複数の枢支部材７９を有する。ロッド２４、転動部材２６、自由運動部材３０及びカバー５２は全て概ね非磁性体からなるのが好ましい。
【００１４】
モータ４２等が、駆動ベルト、ギアボックスなどを介して直接或いは間接的に自由運動部材３０の延出部３６に結合されている。従ってモータ４２を回転させると、磁気アセンブリが回転する。磁気アセンブリが回転するに伴い、転動部材及び滑り部材が、カバー５２の内面に設けられた周方向溝の環状面２８と係合することにより転動する。この転動部材２６の転動運動は磁気ユニット２２を転動させる。このように、磁気ユニット２２は、１つの軸線回りに回転し、同時に他方の軸線回りに転動する。その結果、人又は動物の体の治療のために、時間と共に変動する磁束を伴う磁界及び時間と共に磁束が回転するような磁界が生成される。
【００１５】
本発明の別の実施例が図３に示されている。前記実施例と同様に、磁気ユニット２２はロッド２４に取り付けられている。ロッド２４の一端は、環状面２８と係合する転動部材２６を備えている。環状面２８は、上記したようにカバーに設けられ且つ軸ユニット２２を外囲する。図３に於いて、図示を明瞭にするために面２８のみが示されるように、カバーの残りの部分が図示省略されている。環状面２８は、転動部材２６に対して回転方向の摩擦駆動力を十分に発生し得るように固定リングに設けられている。転動部材２６、２８は十分なグリップ特性を有するエラストマ等の材料からなるのが好ましい。また、環状面２８に対して半径方向内側であってかつ傾斜した関係の自由運動部材３０が球形の磁気ユニット２２を外囲している。ロッド２４は自由運動部材３０の開口２５を回転可能に貫通する。その結果、転動部材２６が面２８に沿って回転するに伴い、自由運動部材３０も回転するが、転動部材２６の転動運動は自由運動部材３０に対しては同様な転動運動を引き起こさない。
【００１６】
自由運動部材３０の両半分３２、３４のそれぞれには、ケーシングまたはカバー５２に枢支された延出部３６が設けられている。このようなカバーの一例が図５に示されている。カバー５２内に自由運動部材３０を枢支するための枢支部材７９の一例が図１０に示されている。自由運動リング３０の片半分３２の延出部３６には駆動ベルト３８が取り付けられている。この実施例に於いて、駆動ベルト３８はゴム製の表面を有するベルトからなるが、歯付きベルト、チェーンその他の同様の特性を有する任意の材料からなるものであって良い。駆動ベルト３８は、モータ４２に取り付けられた回転ユニット４０にも取り付けられている。モータ４２は固定スピードモータであっても、或いは可変スピードモータであっても良い。
【００１７】
このように、モータ４２及び回転ユニット４０は、磁気ユニット２２及び自由運動部材３０を１つの軸線回りに回転させる第１の回転手段を構成する。自由運動部材３０が回転する時、磁気ユニット２２は、この第１の軸線回りに回転するばかりでなく、転動部材２６と環状転動面２８とにより形成される第２の回転手段によっても回転駆動される。
【００１８】
図４は本発明の更に別の実施例を示す。本実施例に於いては、モータ４３が駆動ベルトを要することなく、延出部４６に直結されている。モータ４３は延出部４６を直接回転駆動し、自由運動部材５０を回転させ、それ以外については前記実施例と同様の作用を果たす。
【００１９】
図５は、本発明の好適実施例と共に用いることの出来るカバー５２の一例を示す。カバー５２は、図示されないモータに接続されたパワースイッチ５６を有する。好適実施例に於いては、カバーはプラスチックからなるが、概ね非磁性体からなら他の材料からなるものであっても良い。しかしながら、本発明はカバーを用いることなく機能することが出来、或いは内部の磁気ユニット２２の複雑な動きを示すように窓５４等を備えた部分的に透明なカバーを用いることも出来る。
【００２０】
図１、２は、ギア歯９、１１がギア８の互いに離反する面に対して配置されているような実施例を示しているが、本発明は他の実施例の可能性を排除するものではない。例えば、図６に示されるように、モータ６４が回転可能ギア６８の半径方向外側面に係合しているものであって良い。図６に示されるように、モータ６４は、駆動ベルト６０を介してギア６８を回転させ、ギア６８は更に同様に磁気ユニット６２を回転させる。回転可能な端部手段６６が、図２について前記したように回転可能ギア６８と固定ギアとの間に挟持されていることから、磁気ユニット６２は自転すると同時に回転する。図示を明瞭にするために図６に於いては固定ギアが図示省略されている。この固定ギアは、回転可能ギア６８と協働して、回転可能端部手段６６を回転させる。その結果、図１、２に示されるように磁気ユニット６２が２つの軸線回りに回転する。
【００２１】
図６の実施例では、モータ６４が駆動ベルト６０を用いてギア６８に対して間接的に係合している。図示された駆動ベルトはゴム製の駆動ベルトであるが、歯付ベルト、チェーンその他のものからなるものであっても良いことは言うまでもない。そのような場合には、回転可能ギア６８の半径方向外側面に対応するスプロケット或いは摩擦伝達部材が設けられていることにより、回転可能ギア６８に対して回転駆動力を伝達し得るようにする必要がある。或いは、図７に示されるように、直交するギア或いはベベルギアその他の係合面を介してモータ６４が、ギア６８の半径方向外側面と直接係合するようにすることも出来る。いずれの場合に於いても、磁気ユニット６２は２つの軸線回りに同時に回転し、それから複合的に２軸回りに走査する運動を行う磁界を発生する。
【００２２】
更に別の実施例が図８−１５に示されている。図３に示された実施例と同様に、図１１に示されたモータ７４は磁気ユニット７２に対して回転駆動力を及ぼし、環状転動面７８がカバー５８に対して静止する。その結果、転動部材２６について上記したように、端部転動部材７６に固定された磁気ユニット７２は、第１の軸線回りに回転駆動されるとともに、同時に第２の軸線回りに転動駆動される。図３の実施例とは異なり、モータの回転軸線は磁気アセンブリの第１の回転軸線に対して直交する。
【００２３】
より具体的には、磁気ユニット７２が両半分８１、８３を含む自由運動部材８０の内部に受容されている。自由運動部材８０の両半分は互いに対向する面８２、８４を有し、その内部に磁気ユニット７２を受容するべき概ね球形のチャンバを画定する。磁気ユニット７２がこのチャンバ内に受容された後に、家庭電化製品等が通常受け得るような、例えば落下時に受ける程度の衝撃に耐え得るように、十分な数の点で対向面８２、８４が互いに溶接により結合される。
【００２４】
対向面８２、８４は１つ又は複数の空隙８７を画定する。両対向面８２、８４が互いに溶接された時、これらの空隙８７は開口８８を画定する。磁気ユニット７２は更に、それから対角方向に延出し、両開口８８を貫通する２つの突出アーム７３を有する。アーム７３は、磁気ユニット８２から延出する別体のピン或いはロッド等からなる別個のピン又はロッドからなるものであって良いが、或いは一本のロッド或いはピンの両遊端部からなるものであっても良い。本発明によれば、単一の突出アームまたはピン７３を有するものであっても良い。その場合、突出アーム７３の長手方向により画定される軸線周りに磁気ユニット７２が十分に安定かつ自由に回転し得るものであることを要する。自由運動部材８０の内面により画定されたチャンバ及び対向面８２、８４により形成された空隙８７により画定される開口８８はいずれも余裕を持って磁気ユニット７２及び突出アーム７３をそれぞれ受容し得る十分な大きさを有する。このように磁気ユニット７２は概ね自由運動部材８０内に受容されているが、磁気ユニット７２は１本または２本の突出アーム７３により画定される軸線周りに、自由運動部材８０に対して自由に回転することが出来る。
【００２５】
自由運動部材８０は格納容器アセンブリ９０内に保持されている。格納容器アセンブリ９０は、概ね球形のチャンバを画定する内面９１と、内面９１に形成された環状転動面７８と内面９１内に配置された枢支部材７９とを有する。内面９１の一部はまた、以下に詳しく述べる様に、ウェーブワッシャ保持面として機能する。格納容器アセンブリ９０は、好ましくはカバー５２に固定され、カバーに取り付けられ、或いはカバーの内面に一体的に形成されていて良い。いずれにせよ、自由運動部材８０の外面と格納容器アセンブリ９０の内面９１との間には十分な空隙が確保されていることから、自由運動部材８０は、自由運動部材８０の一方の半分８１に形成され且つ枢支部材７９に枢支された枢支構造８６の回りを回転することが出来る。図１０は、枢支部材７９として軸受ピンを用いた実施例を示す。自由運動部材８０を格納容器アセンブリ９０内に枢支することは、自由運動部材８０の一方の半分８１の頂部に設けられた先鋭部を、格納容器内に形成された円形のくぼみと組み合わせたもの等、他の係合構造によっても実現することが出来る。
【００２６】
上記したように好適実施例に於いては、モータ７４の回転方向は、自由運動部材８０の所望の回転方向に対して直交する。モータ７４の回転運動は、２つの互いに角度をなして噛み合うギア等を含む標準的な直角ギアボックス７５により変換される。同時に、モータの速度を、増減し得るようにすることも出来る。その場合、速度を増減することにより反比例的に回転運動に加えられるトルクが増減することになる。現在のところ、ＤＣモータを、そのトルクが１０倍となるようにする直角変速ギアボックス７５に接続することにより、最も良い結果が得られている。ＤＣモータは、バッテリーケース７０’内に受容された充電可能なバッテリー７０或いは、家電製品に於いて一般的であるようにバッテリーチャージャーとしても機能するようなＡＣ−ＤＣパワーコンバーター７１を、プラグインジャック７１’を介して接続することも出来る。
【００２７】
モータから得られた回転力は、ギアボックス７５により９０度方向を変えられ、減速された後に、図４について前記した実施例の場合と同様に自由運動部材８０を駆動する。図示されない駆動軸は軸線方向開口８９を貫通し、自由運動部材８０の他方の半分８３の頂部に設けられた駆動延出部８５に対して直接回転力を伝達する。
【００２８】
突出アーム７３の一端には転動部材７６が設けられている。自由運動部材８０が回転するに伴い、転動部材７６が環状転動面７８に沿って引きずられる。環状転動面７８は、転動部材７６が環状転動面７８上を走行するに伴い、転動部材７６に回転駆動力を与える。保持部材９２が格納容器アセンブリ９０の内面９１と自由運動部材８０との間に配置され、自由運動部材８０に対して下向きの軸線方向力を加える。図９に示された保持部材９２は、ばねワッシャ或いはウェーブワッシャからなるものであるが、自由運動部材８０に対して軸線方向力を加えるために、板ばね、圧縮ばね、ダイヤフラム等他の手段を用いることも出来る。これにより、転動部材７６と環状転動面７８との間に十分な接触を確保し、転動部材７６に対して回転駆動力を与えることが出来る。その結果、転動部材７６はその長手方向に沿う軸線回りに転動駆動される。図３、４について前記したように、他方の突出アーム７３に滑り部材を取り付けることが出来る。また、磁気アセンブリと格納容器アセンブリとの間の寸法誤差を十分小さくすることにより、滑り部材を省略することも出来る。
【００２９】
この構造により磁気ユニット７２が行う複雑な２軸運動を、ユーザが目で見ることが出来るようにすることにより、更なる利益が得られる。図８に於いては、自由運動部材８０の一方の半分８１が大きな開口を有するように示されている。これにより、磁気ユニット７２の複雑な運動を自由運動部材８０の外側から見ることが出来る。また、透明或いは半透明の材料を用いることにより同様の目的を達成することも出来る。同様に、図９に於ける格納容器アセンブリ９０の下側半分９３を、透明或いは半透明の材料から製作したり、一方の半分８１と同様に比較的大きな開口を有するものとすることも出来る。図１１−１４に示されるような窓或いはレンズ９６がカバー９６の一部を構成しても良い。
【００３０】
窓或いはレンズ９６を用いることに加えて、図１２、１３に示された構造は、本発明の特に好適なパッケージングの態様を提供する。カバー９４の両半分は、プラスチックからなり、モールド成形により窓又はレンズ９６、パワースイッチ９８、モータ７４、ギアボックス７５、バッテリーケース７５’、ＤＣプラグインジャック７１’及び格納容器アセンブリ９０を保持するように互いに嵌合するものとすることが出来る。即ち、この装置のほとんど全ての部品を、成形されたカバーの片半分により保持するようにし、これらの部品の配置が乱れることがないようにし他方の半分を取り外し得るようにしてある。図１２、１３は、図示された本発明の実施例の主な部品及び副次的な部品を効率的に組み付け得る様子を上下から示している。図１４、１５は、本発明に基づくカバーの別の実施例をそれぞれ上下から見た様子を示している。パワー／充電コードは、装置から取り外すことが出来、図１３により示されるように、バッテリー７０によりモータが作動することが出来ることから、本発明の作動に際して必ずしも必要でない。
【００３１】
上記したように、磁気ユニット以外の全ての部品は、磁気ユニット７２から発生する磁束に対して悪影響を及ぼさないような材料からなることが望ましい。更に、格納容器アセンブリの材料を適切に選択することにより、磁気エネルギーを集中させ、磁束を処置されるべき人体の部位に集中させるような積極的な働きを持たせることも可能である。
【００３２】
本発明の更に別の実施例が図１６、１７に示されている。磁石体の２軸回りの回転は、磁石体の回転軸線に対して傾斜した固定磁束を導入することにより達成される。固定磁界は、回転する磁性体を、第１の回転軸線に対して傾斜する第２の回転軸線回りに転動させる。図１７に示された実施例は、固定軌道１１６に対して固定された少なくとも１つの固定磁石１１０を有しており、固定軌道１１６は、必須ではないが、通常格納容器アセンブリ９０に対して固定される。
【００３３】
磁石体７２は、自由運動部材８０と共に第１の軸線回りに回転するのに対し、固定磁石１１０は自由運動部材８０と共に回転しない。磁石体７２はそれ自体、突出アーム７３に固定された転動軸受１０６等により自由運動部材８０内にて回転可能に取り付けられ、且つ格納容器アセンブリ９０の開口８８内にて、第２の軸線回りに回転することが出来る。磁石体７２が第１の軸線回りに回転するに伴い、固定磁石１１０から発生する磁界に遭遇する。固定磁界は、磁石体７２の回転磁界と相互作用し、磁石体７２或いはその突出アーム７３が固定軌道１１６に物理的に接触しないにも関わらず、磁石体７２が第２の軸線回りに回転駆動される。
【００３４】
図１６、１７に示される実施例に於いて、固定軌道１１６は自由運動部材８０よりもわずかに大きい直径を有し、好ましくは１乃至８個の小型ボタン磁石が、軌道に沿って好ましくは等間隔に軌道の壁内に取り付けられ或いは埋め込まれている。各固定磁石１１０は、その極の一方が磁石体７２の方向を向くように配置されているのが好ましい。その結果、固定磁石１１０の磁束が磁石体７２に対して及ぼす影響が最大化される。或いは、固定軌道１１６を全て、第１の回転軸線に対して傾斜する特定の方向に磁化された磁性体からなるものとしたり、磁石体７２について前記したように、別個に取り付けられた小型ボタン磁石と同様な効果を生じるように極性が交互するように磁化された磁性体からなるものとするこ
従って、磁石体７２は、それが自由運動部材８０により第１の軸線周りに回転駆動されるに伴い、固定磁石１１０からの磁束との相互作用のために、間欠的に又は常に、第２の軸線周りに回転駆動される。この、２軸周りの回転は、磁石体７２が、固定軌道１１６に対して何ら物理的に接触せず、１つ又は複数の固定磁石１１０の磁束との相互作用のおかげで、固定軌道１１６に対して磁気的にのみ係合するものであるのにも関わらず、達成される。従って、この実施例によれば、物理的な接触点を減らし、摩擦や磨耗を伴う部品数を最小化し得るという付加的な利点が得られる。また、接触点の低減により、発生する騒音を減少し得るという利点も得られる。
【００３５】
本発明の更に別の実施例によれば、このような磁石対磁石の相互作用が、外向きに延出する転動部材の表面に於いて発生するようにしている。即ち、上記実施例に於ける転動部材７６に代えて、磁気的転動部材が、自由運動部材８０を超えて延出し、それが第１の軸線周りに回転するに伴い、固定軌道１１６の直上の部分を円形軌跡を描いて運動する。この実施例では、磁気的転動部材は、固定軌道１１６に沿って、１つ又は複数の固定磁石と相互作用することにより、第２の軸線周りに回転駆動される。この構成によれば、磁石体７２が第１の軸線周りに回転すると同時に、それを、第２の軸線周りに回転させるのに必要な磁気的結合を形成することができる。
【００３６】
この実施例によれば、各固定磁石１１０は、磁気的転動部材が、その直上を通過するときに、その一方の極が磁気的転動部材を向くように配置すると良い。その結果、磁気的転動部材に対する固定磁石１１０の磁気作用が最大化され、それにより、磁石体７２に対する第２の軸線周りの回転駆動力が最大化される。
【００３７】
以上、本発明を特定の実施例について説明したが、本発明の概念から逸脱することなく、本発明を様々に異なる態様で実施することができる。
【産業上の利用可能性】
【００３８】
本発明の主な目的は、人又は動物の体に対して適用するための、時間と共に変動する磁界を発生するための手持ち式の磁界生成装置を提供することにある。本発明の第２の目的は、磁界が２つ以上の方向に変化するような治療用の装置を提供することにある。
【００３９】
本発明の第３の目的は、体に対して時間と共に変動する磁界を加えるための、手持ち式又は体若しくは衣服に取り付け得る装置を提供することにある。
【００４０】
本発明のこれらの及び他の目的は、添付の図面を参照する以下の記載により明らかになろう。
【図面の簡単な説明】
【００４１】
【図１】本発明に基づく好適実施例の上面図である。
【図２】本発明に基づく好適実施例の正面図である。
【図３】本発明の別の実施例の斜視図である。
【図４】本発明の更に別の実施例の斜視図である。
【図５】本発明の別実施例のカバーの斜視図である。
【図６】本発明の更に別の実施例の斜視図である。
【図７】本発明の更に別の実施例の斜視図である。
【図８】本発明の更に別の実施例の磁気ユニット及び自由運動部材を示す斜視図である。
【図９】図８に示された実施例の格納容器アセンブリ９０及び保持部材９２を示す斜視図である。
【図１０】図９に示された実施例の転動面７８及び枢支部材７９を示す別の角度から見た斜視図である。
【図１１】図８に示された実施例のＤＣモータ及び磁気ユニットに取り付けられた直角ギヤボックスに加えて、本発明を格納するカバーを一部分解して示す斜視図である。
【図１２】更に部品がカバー９４に格納される状態を示す図８に示された実施例の斜視図である。
【図１３】図１２に示された実施例を別の角度から見た斜視図である。
【図１４】図８に示された実施例のカバー９４を示す斜視図である。
【図１５】図１４に示された実施例のカバー９４を別の角度から見た斜視図である。
【図１６】本発明の更に別の実施例の軸受部材１０６及び開口８８を示す分解斜視図である。
【図１７】本発明の更に別の実施例の固定磁石１１０及び固定軌道１１６を示す部分分解斜視図である。
【図１８ａ】本発明の更に別の実施例の固定軌道１１６上の固定磁石１１０を示す平面図である。
【図１８ｂ】本発明の更に別の実施例の固定軌道１１６上の６個の固定磁石１１０を示す平面図である。
【図１】
2005518884.tif 000003
【図２】
2005518884.tif 000004
【図３】
2005518884.tif 000005
【図４】
2005518884.tif 000006
【図５】
2005518884.tif 000007
【図６】
2005518884.tif 000008
【図７】
2005518884.tif 000009
【図８】
2005518884.tif 000010
【図９】
2005518884.tif 000011
【図１０】
2005518884.tif 000012
【図１１】
2005518884.tif 000013
【図１２】
2005518884.tif 000014
【図１３】
2005518884.tif 000015
【図１４】
2005518884.tif 000016
【図１５】
2005518884.tif 000017
【図１６】
2005518884.tif 000018
【図１７】
2005518884.tif 000019
【図１８ａ】
2005518884.tif 000020
【図１８ｂ】
2005518884.tif 000021
【手続補正書】
【提出日】平成17年1月14日(2005.1.14)
【手続補正１】
【補正対象書類名】特許請求の範囲
【補正対象項目名】全文
【補正方法】変更
【補正の内容】
【特許請求の範囲】
【請求項１】
磁気治療装置であって、
カバー内に受容されたモータと、
チャンバを画定する内面及び少なくとも２つの開口を有し、前記モータに接続された自由運動部材と、
前記チャンバ内に回転可能に受容され、互いに対角方向に突出し、前記開口を貫通する２本のアームを有し、その一方のアームの端部に転動部材が取り付けられているような磁気ユニットと、
前記転動部材が転動することにより、前記転動部材に対して回転力を与えるように、前記カバーに設けられた環状転動面と、
前記自由運動部材に対して軸線方向力を加え、前記転動部材の前記環状転動面に対する係合を維持するための保持部材とを有し、
前記磁気ユニットが、２つの軸線周りに同時に回転するように支持されていることを特徴とする磁気治療装置。
【請求項２】
前記自由運動部材が、一方の頂部に設けられた枢支構造と、他方の頂部に設けられた駆動用延出部とを更に有することにより、前記自由運動部材が前記カバー内にて、前記枢支構造と前記駆動用延出部とを結ぶ軸線周りに自由に回転可能にされていることを特徴とする請求項１に記載の磁気治療装置。
【請求項３】
前記保持部材が、ワッシャ、ダイヤフラム及びばねから選択されたものからなることを特徴とする請求項１に記載の磁気治療装置。
【請求項４】
前記転動部材が、エラストマ材料を含む表面を有することを特徴とする請求項１に記載の磁気治療装置。
【請求項５】
磁気治療装置であって、
磁石と、
前記磁石を外囲し、１つ又は複数の延出部を有する自由運動部材と、
前記磁石及び前記自由運動部材を外囲する内面を有し、転動面を構成する周方向溝を画定するカバーと、
前記磁石に取り付けられ、前記自由運動部材を超えて延出する少なくとも１つの端部を有するロッドと、
前記転動面と協働するように前記少なくとも１つの端部に取り付けらた転動部材と、
前記自由運動部材の前記両延出部の一方に機械的に結合されたモータとを有し、
前記モータが前記自由運動部材を回転駆動し、それにより前記転動部材が前記転動面上を走行して転動し、人又は動物の体の治療のために、前記磁石が２軸周りに回転するようにしたことを特徴とする磁気治療装置。
【請求項６】
前記磁石が概ね球形であることを特徴とする請求項５に記載の磁気治療装置。
【請求項７】
前記自由運動部材が概ね球形であることを特徴とする請求項５に記載の磁気治療装置。
【請求項８】
前記自由運動部材が概ね円形であることを特徴とする請求項５に記載の磁気治療装置。
【請求項９】
前記モータがＤＣモータからなることを特徴とする請求項５に記載の磁気治療装置。
【請求項１０】
前記転動部材が、エラストマ材料を含む表面を有することを特徴とする請求項５に記載の磁気治療装置。
【請求項１１】
磁気治療装置であって、
自由運動円形軌道と、
前記自由運動円形軌道を周方向に駆動するために前記自由運動円形軌道に機械的に結合されたモータと、
前記モータに対して回転しない固定円形軌道と、
前記自由運動円形軌道及び前記固定円形軌道内に配置された磁気ユニットと、
前記磁気ユニットに取り付けられ、２本の延出端部を有するロッドと、
前記両延出端部の少なくとも一方に取り付けられ、前記自由運動円形軌道及び前記固定円形軌道に係合する駆動ギヤとを有し、
前記モータが、前記自由運動円形軌道を周方向に駆動するに伴い、前記駆動ギヤが、同様に周方向運動し、同時にそれに直交する転動運動を行い、前記磁気ユニットが２つの異なる軸線周りに回転することにより、人又は動物の体の治療のために、時間と共に変動する磁束を伴う磁界及び時間と共に磁束が回転するような磁界を発生するようにしたことを特徴とする磁気治療装置。
【請求項１２】
前記固定円形軌道が、前記固定円形軌道、前記磁気ユニット及び前記自由運動円形軌道を少なくとも部分的に覆うカバーに取り付けられていることを特徴とする請求項１１に記載の磁気治療装置。
【請求項１３】
磁気治療装置であって、
少なくとも１本の延出アームを有する磁石と、
前記少なくとも１本の延出アームが回転可能に貫通する開口を有し、前記磁石及び前記少なくとも１本の延出アームを回転可能に支持する自由運動部材と、
前記磁石及び前記自由運動部材を第１の軸線周りに回転駆動するために、前記自由運動部材に結合されたモータと、
前記自由運動部材の外部にて、前記延出アームに取り付けられ、前記自由運動部材と同一の速度で回転しない環状転動面に接触する転動部材とを有し、
前記自由運動部材と前記環状転動面との間の速度差により、前記転動部材及び前記磁石が第２の軸線周りに回転し、前記磁石が２つの異なる軸線周りに同時に回転及び転動するようにして、人又は動物の体の治療のために、時間と共に変動する磁束を伴う磁界及び時間と共に磁束が回転するような磁界を発生するようにしたことを特徴とする磁気治療装置。
【請求項１４】
前記磁石が概ね球形であることを特徴とする請求項１３に記載の磁気治療装置。
【請求項１５】
前記自由運動部材が概ね球形であることを特徴とする請求項１３に記載の磁気治療装置。
【請求項１６】
前記自由運動部材が概ね円形であることを特徴とする請求項１３に記載の磁気治療装置。
【請求項１７】
前記モータがＤＣモータからなることを特徴とする請求項１３に記載の磁気治療装置。
【請求項１８】
磁気治療装置であって、
磁石を第１の軸線周りに回転させるための手段と、
前記磁石を第２の軸線周りに転動させるための手段とを有し、
前記転動させるための手段が、前記回転させるための手段を前記第２の軸線周りに転動させず、
前記磁石を、前記第１及び第２の軸線周りに回転及び転動させることにより、人又は動物の体の治療のために、時間と共に変動する磁束を伴う磁界及び時間と共に磁束が回転するような磁界を発生するようにしたことを特徴とする磁気治療装置。
【請求項１９】
前記磁石を回転させるための前記手段の運動がＤＣモータにより引き起こされることを特徴とする請求項１８に記載の磁気治療装置。
【請求項２０】
前記磁石が概ね球形であることを特徴とする請求項１８に記載の磁気治療装置。
【請求項２１】
第１の軸線が第２の軸線に対して概ね９０度をなすように、前記両軸線周りに同時に回転する治療用磁石体。
【請求項２２】
前記磁石体が、前記各軸線周りに可変速度をもって回転することを特徴とする請求項２１に記載の磁石体。
【請求項２３】
前記磁石体が、前記第１の軸線周りに或る速度をもって回転し、前記第２の軸線周りにそれとは異なる速度をもって回転することを特徴とする請求項２１に記載の磁石体。
【請求項２４】
前記磁石体が、モータにより駆動される機械装置により回転させられることを特徴とする請求項２１に記載の磁石体。
【請求項２５】
前記両軸線の少なくとも一方の軸線周りの回転が電子手段により制御されることを特徴とする請求項２２に記載の磁石体。
【請求項２６】
前記両軸線の少なくとも一方の軸線周りの回転が電子手段により制御されることを特徴とする請求項２３に記載の磁石体。
【請求項２７】
前記磁石体が概ね球形であることを特徴とする請求項２１に記載の磁石体。
【請求項２８】
前記磁石体が概ね円筒形であることを特徴とする請求項２１に記載の磁石体。
【請求項２９】
前記磁石体が概ね立方体形であることを特徴とする請求項２１に記載の磁石体。
【請求項３０】
前記磁石体及び該磁石体を回転させるための手段がハウジング内に受容されていることを特徴とする請求項２２に記載の磁石体。
【請求項３１】
前記磁石体及び該磁石体を回転させるための手段がハウジング内に受容されていることを特徴とする請求項２３に記載の磁石体。
【請求項３２】
磁気治療装置であって、
少なくとも１本の延出アームを有する磁石と、
前記少なくとも１本の延出アームが回転可能に貫通する開口を有し、前記磁石及び前記少なくとも１本の延出アームを回転可能に支持する自由運動部材と、
前記磁石及び前記自由運動部材を第１の軸線周りに回転駆動するために、前記自由運動部材に結合されたモータと、
概ね当該装置に固定され或いは前記自由運動部材と同一の速度で回転することのないように設けられた少なくとも１つの磁気面とを有し、
前記自由運動部材と前記磁気面との間の速度差により前記磁石が第２の軸線周りに転動することにより、前記磁石が２つの異なる軸線周りに同時に回転及び転動するようにして、人又は動物の体の治療のために、時間と共に変動する磁束を伴う磁界及び時間と共に磁束が回転するような磁界を発生するようにしたことを特徴とする磁気治療装置。
【請求項３３】
前記磁石が概ね球形であることを特徴とする請求項３２に記載の磁気治療装置。
【請求項３４】
前記自由運動部材が概ね球形であることを特徴とする請求項３２に記載の磁気治療装置。
【請求項３５】
前記自由運動部材が概ね円形であることを特徴とする請求項３２に記載の磁気治療装置。
【請求項３６】
前記モータがＤＣモータからなることを特徴とする請求項３２に記載の磁気治療装置。
【請求項３７】
磁気治療装置であって、
前記磁石体を第１の軸線周りに回転させるための手段と、
前記磁石体を第２の軸線周りに転動させるための手段とを有し、
前記転動させるための手段及び前記回転させるための手段が同時に作動し、
前記転動させるための手段及び前記回転させるための手段が、前記磁石体を、前記第１及び第２の軸線周りに同時に回転及び転動させることにより、人又は動物の体の治療のために、時間と共に変動する磁束を伴う磁界及び時間と共に磁束が回転するような磁界を発生するようにしたことを特徴とする磁気治療装置。
【請求項３８】
前記モータがＤＣモータからなることを特徴とする請求項３７に記載の磁気治療装置。
【請求項３９】
前記磁石体が概ね球形であることを特徴とする請求項３７に記載の磁気治療装置。
【請求項４０】
第１の軸線が第２の軸線に対して傾斜するように、２つの方向に同時に回転する治療用磁石体。
【請求項４１】
前記磁石体が、前記各軸線周りに可変速度をもって回転することを特徴とする請求項４０に記載の磁石体。
【請求項４２】
前記磁石体が、前記第１の軸線周りに或る速度をもって回転し、前記第２の軸線周りにそれとは異なる速度をもって回転することを特徴とする請求項４０に記載の磁石体。
【請求項４３】
前記磁石体が、モータにより駆動される機械装置により回転させられることを特徴とする請求項４０に記載の磁石体。
【請求項４４】
前記両軸線の少なくとも一方の軸線周りの回転が電子手段により制御されることを特徴とする請求項４１に記載の磁石体。
【請求項４５】
前記両軸線の少なくとも一方の軸線周りの回転が電子手段により制御されることを特徴とする請求項４２に記載の磁石体。
【請求項４６】
前記磁石体が概ね球形であることを特徴とする請求項４０に記載の磁石体。
【請求項４７】
前記磁石体が概ね円筒形であることを特徴とする請求項４０に記載の磁石体。
【請求項４８】
前記磁石体が概ね立方体形であることを特徴とする請求項４０に記載の磁石体。
【請求項４９】
前記磁石体及び該磁石体を回転させるための手段がハウジング内に受容されていることを特徴とする請求項４１に記載の磁石体。
【請求項５０】
前記磁石体及び該磁石体を回転させるための手段がハウジング内に受容されていることを特徴とする請求項４２に記載の磁石体。
【請求項５１】
前記磁石体が、前記第１の軸線周りに回転する速度と概ね同一の速度をもって、前記第２の軸線周りに回転することを特徴とする請求項４０に記載の磁石体。
【請求項５２】
前記磁石体が、前記モータと概ね同一の速度をもって回転することを特徴とする請求項３２に記載の磁気治療装置。
【請求項５３】
前記磁石体が、前記第１の軸線周りに回転する速度と概ね同一の速度をもって、前記第２の軸線周りに転動することを特徴とする請求項３７に記載の磁気治療装置。
【国際調査報告】
2005518884.tif 000022